(57)【要約】      （修正有）【課題】診断用画像と写損画像の圧縮を適切に管理することにより、医用画像の管理コストの低減や、管理者の負担軽減する情報処理装置を提供する。【解決手段】医用画像を撮影する際に、異物が混入している場合や、患者の胎動などによる写損画像と、前記写損画像に対応し、診断に利用する診断用画像とを取得する画像取得手段と、前記診断用画像に対して予め設定された診断用圧縮率に基づいて、前記写損画像の圧縮率を決定する決定手段とを有する。【選択図】図８
2019092702.tif 000002
【特許請求の範囲】
【請求項１】
写損画像と、前記写損画像に対応し、診断に利用する診断用画像とを取得する画像取得手段と、
前記診断用画像に対して予め設定された診断用圧縮率に基づいて、前記写損画像の圧縮率を決定する決定手段と
を有することを特徴とする情報処理装置。
【請求項２】
前記決定手段は、前記診断用圧縮率に比べて高い圧縮率を前記写損画像の圧縮率として決定することを特徴とする請求項１に記載の情報処理装置。
【請求項３】
前記決定手段は、前記診断用圧縮率と、前記写損画像の圧縮率と、を対応付ける情報を参照し、前記写損画像の圧縮率を決定することを特徴とする請求項１又は２に記載の情報処理装置。
【請求項４】
前記決定手段は、さらに、前記写損画像と、前記写損画像に対応する診断用画像と、の類似度に基づいて、前記写損画像の圧縮率を決定することを特徴とする請求項１乃至３の何れか１項に記載の情報処理装置。
【請求項５】
前記決定手段は、前記類似度が閾値未満の場合に、前記診断用圧縮率に比べて高い圧縮率を、前記写損画像の圧縮率として決定することを特徴とする請求項４に記載の情報処理装置。
【請求項６】
前記決定手段は、前記類似度が閾値以上の場合には、前記診断用圧縮率を前記写損画像の圧縮率として決定することを特徴とする請求項５に記載の情報処理装置。
【請求項７】
前記写損画像の写損理由を取得する理由取得手段をさらに有し、
前記決定手段は、さらに前記写損理由に基づいて、前記写損画像の圧縮率を決定することを特徴とする請求項１又は２に記載の情報処理装置。
【請求項８】
前記写損画像の圧縮率を診断用圧縮率から変更するか否かの情報と、前記写損理由と、を対応付ける情報を参照し、前記写損画像の圧縮率を前記診断用圧縮率から変更するか否かを判定する変更判定手段をさらに有し、
前記決定手段は、前記判定手段により変更すると判定された場合に、前記診断用圧縮率に比べて高い圧縮率を、前記写損画像の圧縮率として決定することを特徴とする請求項７に記載の情報処理装置。
【請求項９】
前記決定手段は、前記判定手段により変更しないと判定された場合に、前記診断用圧縮率を、前記写損画像の圧縮率として決定することを特徴とする請求項８に記載の情報処理装置。
【請求項１０】
前記画像取得手段が取得した前記写損画像が既に圧縮されているか否かに基づいて、前記写損画像に対し圧縮を行うか否かを判定する圧縮判定手段と、
前記圧縮を行うと判定した場合に、前記決定手段により決定された圧縮率で前記写損画像を圧縮する圧縮手段と
をさらに有することを特徴とする請求項１乃至４の何れか１項に記載の情報処理装置。
【請求項１１】
前記診断用画像は、前記写損画像の取得後の再撮影に応じて取得された画像であることを特徴とする請求項１乃至１０の何れか１項に記載の情報処理装置。
【請求項１２】
撮影に失敗したと判定された写損画像と、診断に使用可能と判定された診断用画像でかつ前記写損画像に対応する前記診断用画像と、を取得する画像取得ステップと、
前記診断用画像に対して予め設定された診断用圧縮率に基づいて、前記写損画像の圧縮率を決定する決定ステップと
を含むことを特徴とする情報処理方法。
【請求項１３】
前記決定ステップでは、前記診断用圧縮率に比べて高い圧縮率を前記写損画像の圧縮率として決定することを特徴とする請求項１２に記載の情報処理方法。
【請求項１４】
前記決定ステップでは、前記診断用圧縮率と、前記写損画像の圧縮率と、を対応付ける情報を参照し、前記写損画像の圧縮率を決定することを特徴とする請求項１２又は１３に記載の情報処理方法。
【請求項１５】
前記決定ステップでは、さらに、前記写損画像と、前記写損画像に対応する診断用画像と、の類似度に基づいて、前記写損画像の圧縮率を決定することを特徴とする請求項１２乃至１４の何れか１項に記載の情報処理方法。
【請求項１６】
前記写損画像の写損理由を取得する理由取得ステップをさらに含み、
前記決定ステップでは、さらに前記写損理由に基づいて、前記写損画像の圧縮率を決定することを特徴とする請求項１２又は１３に記載の情報処理方法。
【請求項１７】
コンピュータを、請求項１乃至１１の何れか１項に記載の情報処理装置の各手段として機能させるためのプログラム。
【発明の詳細な説明】
【技術分野】
【０００１】
本発明は、情報処理装置、情報処理方法及びプログラムに関する。
【背景技術】
【０００２】
近年、医用画像の管理コストの低減や、管理者の負担軽減のために、画像管理サーバを院内に配置せずにクラウドにて管理する画像システムが普及している。クラウドを用いた画像管理システムにおいては、画像の保存容量に基づいて病院や診療所から課金するモデルが用いられている。
【０００３】
また、医用画像を撮影する際に、異物が混入している場合や患者の体動などによって、再撮影が必要になる場合がある。このような診断に利用できない画像は、写損画像と呼ばれる。写損画像は、診断に用いられることはないが記録用に管理サーバに保存される場合や、撮影を行う放射線技師の技量向上のためのカンファレンスにて参照される場合がある。特許文献１には、Ｘ線撮影装置で撮影された画像が写損である場合に、撮影した放射線技師が写損ボタンを押下することで、撮影画像が無効であることを記録するとともに、写損画像と写損理由を写損情報管理サーバに圧縮して送信する技術が開示されている。また、特許文献２には、収集した写損ログを解析して撮影メニュー別の写損回数や写損率に基づいて撮影メニューを抽出し、抽出した撮影メニューに関連する写損画像と合わせてカンファレンス時に表示する写損画像管理システムが開示されている。
【先行技術文献】
【特許文献】
【０００４】
【特許文献１】特開２００７−４４２７２号公報
【特許文献２】特開２０１６−１８６７３６号公報
【発明の概要】
【発明が解決しようとする課題】
【０００５】
写損画像を管理のために一律の圧縮率で圧縮すると、画像の容量削減はできるが、圧縮された写損画像と、再撮影により得られた、診断に利用できる画像（診断用画像）とを比較することには適していない。
【０００６】
本発明はこのような問題点に鑑みなされたもので、診断用画像と写損画像の圧縮を適切に管理することを目的とする。
【課題を解決するための手段】
【０００７】
そこで、本発明は、情報処理装置であって、写損画像と、前記写損画像に対応し、診断に利用する診断用画像とを取得する画像取得手段と、前記診断用画像に対して予め設定された診断用圧縮率に基づいて、前記写損画像の圧縮率を決定する決定手段とを有することを特徴とする。
【発明の効果】
【０００８】
本発明によれば、診断用画像と写損画像の圧縮を適切に管理することができる。
【図面の簡単な説明】
【０００９】
【図１】第１の実施形態に係る画像管理システムの全体図である。
【図２】画像管理装置のハードウェア構成図である。
【図３】画像管理装置の機能構成図である。
【図４】画像管理サーバの機能構成図である。
【図５】写損情報管理サーバの機能構成図である。
【図６】画像保存処理を示すフローチャートである。
【図７】写損情報とＤＩＣＯＭタグの関連付けを表した図である。
【図８】画像圧縮処理を示すフローチャートである。
【図９】圧縮率決定テーブルの一例を示す図である。
【図１０】画像圧縮率の決定処理を示すフローチャートである。
【図１１】画像圧縮率の決定処理を示すフローチャートである。
【図１２】変更可否判定テーブルの一例を示す図である。
【図１３】画像管理装置の機能構成図である。
【図１４】画像管理サーバの機能構成図である。
【図１５】写損情報管理サーバの機能構成図である。
【図１６】画像圧縮処理を示すフローチャートである。
【図１７】写損情報管理サーバの機能構成図である。
【図１８】圧縮処理を示すフローチャートである。
【図１９】再圧縮処理を示すフローチャートである。
【図２０】第６の実施形態に係る画像圧縮処理を示すフローチャートである。
【発明を実施するための形態】
【００１０】
以下、本発明の実施形態について図面に基づいて説明する。
（第１の実施形態）
図１は、第１の実施形態に係る画像管理システム１の全体図である。画像管理装置１００は、複数のモダリティ１６０、複数の画像診断クライアント１５０及びカンファレンスシステム１７０と院内ネットワーク１０１を介して接続されている。画像管理装置１００は、ＶＰＮ装置１２０と接続され、ＶＰＮ装置１２０を介してクラウド基盤上に構築した画像管理サーバ１３０及び写損情報管理サーバ１４０と通信する。画像管理装置１００は、ゲートウェイとして機能する。画像管理装置１００は、情報処理装置の一例である。
【００１１】
画像管理装置１００は、モダリティ１６０とＤＩＣＯＭ（Ｄｉｇｉｔａｌ  Ｉｍａｇｉｎｇ  ａｎｄ  ＣＯｍｍｕｎｉｃａｔｉｏｎｓ  ｉｎ  Ｍｅｄｉｃｉｎｅ）規格に準拠したプロトコルで通信を行う。画像管理装置１００は、モダリティ１６０から診断用画像及び写損画像を受信する。ここで、写損画像は、撮影に失敗したとユーザにより判定された画像である。診断用画像とは、診断に使用可能とユーザにより判定された画像であり、診断に利用される画像である。診断用画像はまた、写損画像の取得後に再撮影により得られた、写損画像に対応した画像である。モダリティ１６０においては、写損画像と判定された場合には、再撮影が行われ、写損画像に対応した診断用画像が得られる。これに対応し、画像管理装置１００は、写損画像と、写損画像に対応した診断用画像とを受信する。
【００１２】
画像管理装置１００は、受信した診断用画像を圧縮し、圧縮後の診断用画像を、ネットワーク１０２を介して画像管理サーバ１３０へ送信する。画像管理装置１００はまた、受信した写損画像を圧縮し、圧縮後の写損画像を画像管理サーバ１３０へ送信する。画像管理装置１００はさらに、写損画像から抽出した識別情報や写損理由、操作者名、検査日時、検査部位等の写損情報を写損情報管理サーバ１４０へ送信する。なお、画像管理サーバ１３０及び写損情報管理サーバ１４０への送信にはＨＴＴＰＳプロトコルが用いられる。また、画像管理装置１００は、識別情報として、ＤＩＣＯＭ規格に定義された検査インスタンスＵＩＤやシリーズインスタンスＵＩＤ、ＳＯＰインスタンスＵＩＤを用いるものとする。
【００１３】
画像管理装置１００は、また、画像診断クライアント１５０とＤＩＣＯＭ規格に準拠したプロトコルで通信する。画像管理装置１００は、画像診断クライアント１５０が送信したリクエストに応じて、診断用画像を画像管理サーバ１３０から受信し、画像診断クライアント１５０に送信する。画像管理装置１００は、また、カンファレンスシステム１７０ともＤＩＣＯＭ規格に準拠したプロトコルで通信する。画像管理装置１００は、カンファレンスシステム１７０が出力したリクエストに応じて、画像管理サーバ１３０から診断用画像を、写損情報管理サーバ１４０から写損画像を受信し、カンファレンスシステム１７０に送信する。画像管理装置１００は、カンファレンスシステム１７０とＨＴＴＰＳプロトコルでも通信し、カンファレンスシステム１７０からのリクエストに応じて、写損情報管理サーバ１４０から写損情報を受信し、カンファレンスシステム１７０に送信する。
【００１４】
画像管理サーバ１３０は、受信した診断用画像を保存し、画像管理装置１００からのリクエストに基づいて出力する。写損情報管理サーバ１４０は、受信した写損画像と写損情報を関連付けて保存し、画像管理装置１００からのリクエストに基づいて出力する。
【００１５】
図２は、画像管理装置１００のハードウェア構成図である。画像管理装置１００は、ＣＰＵ２０１と、ＲＯＭ２０２と、ＲＡＭ２０３と、ＨＤＤ２０４と、表示部２０５と、入力部２０６と、通信部２０７とを有している。ＣＰＵ２０１は、ＲＯＭ２０２に記憶された制御プログラムを読み出して各種処理を実行する。ＲＡＭ２０３は、ＣＰＵ２０１の主メモリ、ワークエリア等の一時記憶領域として用いられる。ＨＤＤ２０４は、各種データや各種プログラム等を記憶する。表示部２０５は、各種情報を表示する。入力部２０６は、キーボードやマウスを有し、ユーザによる各種操作を受け付ける。通信部２０７は、外部装置との通信処理を行う。
【００１６】
なお、後述する画像管理装置１００の機能や処理は、ＣＰＵ２０１がＲＯＭ２０２又はＨＤＤ２０４に格納されているプログラムを読み出し、このプログラムを実行することにより実現されるものである。また、他の例としては、ＣＰＵ２０１は、ＲＯＭ２０２等に替えて、ＳＤカード等の記録媒体に格納されているプログラムを読み出してもよい。また、他の例としては、画像管理装置１００の機能や処理の少なくとも一部は、例えば複数のＣＰＵ、ＲＡＭ、ＲＯＭ、及びストレージを協働させることにより実現してもよい。また、他の例としては、画像管理装置１００の機能や処理の少なくとも一部は、ハードウェア回路を用いて実現してもよい。
【００１７】
図３は、画像管理装置１００の機能構成図である。医用画像受信部３０１は、モダリティ１６０から診断用画像受信用と写損画像受信用の複数種の受信ポートを持ち、診断用画像と写損画像を受信する。医用画像受信部３０１は、受信した診断用画像と写損画像を画像一時保存部３０２に出力する。写損画像を受信した場合、医用画像受信部３０１は、画像一時保存部３０２に保存した写損画像から写損理由を抽出する指示を写損情報抽出部３０３に指示する。医用画像受信処理については後述する。
【００１８】
画像一時保存部３０２は、診断用画像を保存する診断用画像保存領域と写損画像を保存する写損画像保存領域を有し、医用画像受信部３０１から受信した診断用画像を診断用画像保存領域に、写損画像を写損画像保存領域に、それぞれ保存する。また、画像一時保存部３０２は、写損情報抽出部３０３からのリクエストに応じて写損画像を写損情報抽出部３０３に出力し、医用画像送信部３１０のリクエストに応じて診断用画像及び写損画像を医用画像送信部３１０に出力する。さらに、画像一時保存部３０２は、画像圧縮制御部３０４のリクエストに応じて診断用画像及び写損画像を画像圧縮制御部３０４に出力し、画像圧縮制御部３０４が圧縮した画像で、受信した画像を上書き保存する。加えて、画像一時保存部３０２は、画像外部送受信部３０５のリクエストに応じて診断用画像及び写損画像を画像外部送受信部３０５に出力するとともに、画像外部送受信部３０５が受信した診断用画像及び写損画像を受信し、保存する。
【００１９】
写損情報抽出部３０３は、医用画像受信部３０１からの指示に応じて画像一時保存部３０２から写損画像を読み出して写損情報を抽出し、写損情報外部送受信部３０６に出力する。写損情報の抽出方法については後述する。画像圧縮制御部３０４は、画像一時保存部３０２に診断用画像または写損画像が保存されるのを監視する。画像圧縮制御部３０４は、診断用画像または写損画像が保存されたことを検知すると、診断用画像及び写損画像を読み出して圧縮率を決定して画像圧縮し、画像一時保存部３０２に保存する。画像圧縮制御部３０４は、圧縮後の画像を画像管理サーバ１３０または写損情報管理サーバ１４０に出力するよう画像外部送受信部３０５に指示する。圧縮率の決定方法については後述する。
【００２０】
画像外部送受信部３０５は、画像圧縮制御部３０４の指示に基づいて、診断用画像を画像管理サーバ１３０に、写損画像を写損情報管理サーバ１４０に、それぞれ送信する。また、画像外部送受信部３０５は、画像管理サーバ１３０から受信した診断用画像及び写損情報管理サーバ１４０から受信した写損画像を、画像一時保存部３０２に保存し、医用画像送信部３１０に通知する。
【００２１】
写損情報外部送受信部３０６は、写損情報抽出部３０３から受信した写損情報を写損情報管理サーバ１４０に出力する。また、写損情報外部送受信部３０６は、写損情報管理サーバ１４０から受信した写損情報を、写損情報送信部３０７に出力する。写損情報送信部３０７は、写損情報外部送受信部３０６が受信した写損情報を、カンファレンスシステム１７０に送信する。リクエスト受信部３０８は、画像診断クライアント１５０及びカンファレンスシステム１７０から診断用画像及び写損画像取得のリクエストを受信する。リクエスト受信部３０８は、画像一時保存部３０２に所望の画像が存在する場合は、当該画像を送信するよう医用画像送信部３１０に指示し、存在しない場合は、リクエスト外部送信部３０９に、画像取得のリクエストを送信する。
【００２２】
リクエスト外部送信部３０９は、リクエスト受信部３０８から受信した画像取得のリクエストを画像管理サーバ１３０または写損情報管理サーバ１４０に送信する。医用画像送信部３１０は、リクエスト受信部３０８から受信した指示に基づいて、画像一時保存部３０２から診断用画像または写損画像を読み出し、画像をリクエストした画像診断クライアントまたはカンファレンスシステムに送信する。
【００２３】
図４は、画像管理サーバ１３０の機能構成図である。診断用画像送受信部４０１は、画像管理装置１００から診断用画像を受信し、診断用画像保存部４０２に保存する。また、診断用画像送受信部４０１は、診断用画像リクエスト受信部４０３から受信した指示に基づいて、診断用画像を画像管理装置１００に出力する。診断用画像保存部４０２は、診断用画像送受信部４０１から受信した診断用画像を保存するとともに、診断用画像リクエスト受信部４０３からのリクエストに応じて保存している診断用画像を診断用画像リクエスト受信部４０３に出力する。診断用画像リクエスト受信部４０３は、画像管理装置１００から受信したリクエストに応じて、診断用画像保存部４０２から診断用画像を読み出し、診断用画像送受信部４０１に出力する。
【００２４】
図５は、写損情報管理サーバ１４０の機能構成図である。写損画像送受信部５０１は、画像管理装置１００から写損画像を受信し、写損画像保存部５０２に保存する。また、写損画像送受信部５０１は、写損画像リクエスト受信部５０５から受信した指示に基づいて、写損画像を画像管理装置１００に出力する。写損画像保存部５０２は、写損画像送受信部５０１から受信した写損画像を保存するとともに、写損画像リクエスト受信部５０５からのリクエストに応じて、保存している写損画像を写損画像リクエスト受信部５０５に出力する。
【００２５】
写損情報送受信部５０３は、画像管理装置１００から写損情報を受信し、写損情報保存部５０４に保存する。写損情報送受信部５０３はまた、写損情報リクエスト受信部５０６から受信した指示に基づいて、写損情報を画像管理装置１００に出力する。写損情報保存部５０４は、写損情報送受信部５０３から受信した写損情報を保存するとともに、写損情報リクエスト受信部５０６からのリクエストに応じて、保存している写損情報を写損情報リクエスト受信部５０６に出力する。写損画像リクエスト受信部５０５は、画像管理装置１００から受信したリクエストに応じて、写損画像保存部５０２から写損画像を読み出し、写損画像送受信部５０１に出力する。写損情報リクエスト受信部５０６は、画像管理装置１００から受信したリクエストに応じて、写損情報保存部５０４から写損情報を読み出し、写損情報送受信部５０３に出力する。
【００２６】
図６は、画像管理装置１００による画像保存処理を示すフローチャートである。Ｓ６０１において、医用画像受信部３０１は、モダリティ１６０から画像を受信する。本処理は、画像取得処理の一例である。次に、Ｓ６０２において、医用画像受信部３０１は、受信した画像が写損画像であるか診断用画像であるかを判定する。なお、医用画像受信部３０１は、写損画像であるか診断用画像であるかを示す情報を画像と共に受信し、この情報に基づいて、写損画像であるか診断用画像であるかを判定する。医用画像受信部３０１は、写損画像の場合には（Ｓ６０２でＹＥＳ）、処理をＳ６０３へ進める。医用画像受信部３０１は、診断用画像の場合には（Ｓ６０２でＮＯ）、処理をＳ６０５へ進める。
【００２７】
Ｓ６０３において、医用画像受信部３０１は、写損画像を画像一時保存部３０２の写損画像領域に保存する。次に、Ｓ６０４において、写損情報抽出部３０３は、画像一時保存部３０２から写損画像を読み出し、読み出した写損画像から写損情報を抽出する。写損情報抽出部３０３は、抽出した写損情報を写損情報外部送受信部３０６に出力する。そして、写損情報外部送受信部３０６は、写損情報を写損情報管理サーバ１４０へ送信する。一方、Ｓ６０６においては、医用画像受信部３０１は、診断用画像を画像一時保存部３０２の診断用画像領域に保存する。なお、写損画像領域及び診断用画像領域は、いずれも画像一時保存部３０２において予め定められた領域である。
【００２８】
図７は、写損情報とＤＩＣＯＭタグの関連付けを表した図である。図７の例では、識別情報としては、ＤＩＣＯＭタグ「検査インスタンスＵＩＤ（００２０，０００Ｄ）」、「シリーズインスタンスＵＩＤ（００２０，０００Ｅ）」及び「ＳＯＰインスタンスＵＩＤ（０００８，００１８）」が対応付けられている。検査インスタンスＵＩＤは、検査の種類を示す情報である。シリーズインスタンスは、同一の検査インスタンスＵＩＤの画像をカテゴライズするための情報である。
【００２９】
検査日時としては、ＤＩＣＯＭタグ「検査日（０００８，００２０）」及び「検査時刻（０００８，００３０）」が対応付けられている。操作者名としては、ＤＩＣＯＭタグ「操作者名（０００８，１０７０）」が対応付けられている。検査部位としては、ＤＩＣＯＭタグ「検査部位（００１８，００１５）」が対応付けられている。写損理由としてはＤＩＣＯＭタグ「画像コメント（００２０，４０００）」が対応付けられている。
【００３０】
ここで、ＤＩＣＯＭタグはメタデータの一例である。検査インスタンスＵＩＤ、シリーズインスタンスＵＩＤ、撮影日時、撮影部位等の情報は、メタデータのパラメータの一例である。なお、メタデータ及びパラメータは、画像を分類するためのデータであればよく、実施形態に限定されるものではない。前述の写損画像と、写損画像に対応する診断用画像は、検査インスタンスＵＩＤ（メタデータ）が同一の画像である。すなわち、前述の写損画像と、写損画像に対応する診断用画像の対応関係は、検査インスタンスＵＩＤ（メタデータ）により特定することができる。
【００３１】
図８は、画像管理装置１００による画像圧縮処理を示すフローチャートである。Ｓ８０１において、画像圧縮制御部３０４は、画像一時保存部３０２に画像が保存されことを検知すると（Ｓ８０１でＹＥＳ）、処理をＳ８０２へ進める。Ｓ８０２において、画像圧縮制御部３０４は、画像一時保存部３０２に保存された画像が写損画像であるか診断用画像であるかを判定する。画像圧縮制御部３０４は、写損画像領域に保存された場合に写損画像、診断用画像領域に保存された場合に診断用画像と判定する。画像圧縮制御部３０４は、写損画像の場合には（Ｓ８０２でＹＥＳ）、処理をＳ８０３へ進める。画像圧縮制御部３０４は、診断用画像の場合には（Ｓ８０２でＮＯ）、処理をＳ８０４へ進める。
【００３２】
Ｓ８０３において、画像圧縮制御部３０４は、写損画像に対応する診断用画像の圧縮率に基づいて、写損画像の圧縮率を決定し、写損圧縮率を画像圧縮率として決定し、その後処理をＳ８０５へ進める。ここで、診断用画像の圧縮率は、画像管理装置１００において予め設定されているものとする。例えば、病院が画像管理装置１００を購入する際に、診断用画像の圧縮率が画像管理装置１００に設定されるものとする。以下、説明の便宜上、診断用画像の圧縮率を診断用圧縮率、写損画像に対して決定される圧縮率を写損圧縮率と称することとする。他の例としては、診断用圧縮率は、画像管理装置１００において、画像を生成したモダリティ単位で、設定されるものとしてもよい。
【００３３】
ここで、図９を参照しつつ、Ｓ８０３の処理について説明する。図９は、圧縮率決定テーブル９００の一例を示す図である。圧縮率決定テーブル９００は、診断用圧縮率と、写損圧縮率と、を対応付けて記憶している。例えば、診断用圧縮率「圧縮なし」には、写損圧縮率「可逆ＪＰＥＧ圧縮」が対応付けられている。診断用圧縮率「可逆ＪＰＥＧ圧縮」には、写損圧縮率「非可逆ＪＰＥＧ圧縮（画質１００）」が対応付けられている。診断用圧縮率「非可逆圧縮（画質４０〜９９）」には、写損圧縮率「非可逆ＪＰＥＧ圧縮（診断用画像の画質−２０）」が対応付けられている。診断用圧縮率「非可逆ＪＰＥＧ圧縮（画質２０〜３９）」には、写損圧縮率「非可逆ＪＰＥＧ圧縮（画質２０）」が対応付けられている。診断用圧縮率「非可逆ＪＰＥＧ圧縮（画質１９以下）」には、写損圧縮率「非可逆ＪＰＥＧ圧縮（診断用画像の圧縮率と同じ画質）が対応付けられている。このように、圧縮率決定テーブル９００においては、対応する診断用圧縮率より高い圧縮率が写損圧縮率として対応付けられている。なお、診断用圧縮率と写損圧縮率の対応関係は実施形態に限定されるものではない。Ｓ８０３において、画像圧縮制御部３０４は、圧縮率決定テーブル９００を参照し、診断用圧縮率に対応付けられている写損圧縮率を、処理対象の写損画像に対する写損圧縮率として決定する。
【００３４】
一方、Ｓ８０４において、画像圧縮制御部３０４は、診断用圧縮率を画像圧縮率として決定し、その後処理をＳ８０５へ進める。Ｓ８０５において、画像圧縮制御部３０４は、画像圧縮率に基づいて、画像を圧縮する。次に、Ｓ８０６において、画像圧縮制御部３０４は、圧縮後の画像を画像一時保存部３０２に保存する。次に、Ｓ８０７において、画像外部送受信部３０５は、圧縮後の画像を出力するよう制御する。なお、診断用画像は画像管理サーバ１３０へ出力され、写損画像は写損情報管理サーバ１４０へ出力される。
【００３５】
以上のように、画像管理装置１００は、圧縮率決定テーブル９００を参照することで、診断用圧縮率に比べて高い圧縮率を写損圧縮率として決定することができる。これにより、写損画像の圧縮率を高くして保存容量を削減しつつ、カンファレンス等で診断用画像と写損画像を比較する際に、差がわかりにくくなるのを防止することができる。すなわち、画像管理装置１００は、診断用画像と写損画像の圧縮を適切に管理することができる。
【００３６】
第１の実施形態の第１の変形例としては、画像管理装置１００は、診断用圧縮率に基づいて、写損圧縮率を決定すればよく、そのための具体的な処理は実施形態に限定されるものではない。
【００３７】
第２の変形例としては、画像管理サーバ１３０と写損情報管理サーバ１４０は、クラウド基盤上に構築されるものとしたが、クラウド環境に限定されるものではない。画像管理サーバ１３０及び写損情報管理サーバ１４０は、院内ネットワークに接続するものとしてもよい。また、他の例としては、画像管理サーバ１３０及び写損情報管理サーバ１４０とを画像管理装置１００と一体に１台の装置として構成してもよい。
【００３８】
（第２の実施形態）
次に、第２の実施形態に係る画像管理システム１について、第１の実施形態に係る画像管理システム１と異なる点を主に説明する。本実施形態に係る画像圧縮制御部３０４は、写損圧縮率を決定する際に、写損画像と、写損画像に対応する診断用画像との類似度を考慮する。
【００３９】
図１０は、第２の実施形態に係る画像圧縮制御部３０４による、写損画像に対する画像圧縮率の決定処理を示すフローチャートである。画像圧縮制御部３０４は、図８に示すＳ８０３の処理に替えて、図１０に示す、写損画像に対する画像圧縮率の決定処理を実行する。Ｓ１００１において、画像圧縮制御部３０４は、写損画像に対応する診断用画像を、画像一時保存部３０２かから所定の時間内に取得できたか否かを判定する。ここで、写損画像に対応する診断用画像とは、写損画像の検査インスタンスＵＩＤと同一の検査インスタンスＵＩＤの診断用画像である。画像圧縮制御部３０４は、対応する診断用画像の取得に成功した場合には（Ｓ１００１でＹＥＳ）、処理をＳ１００２へ進める。画像圧縮制御部３０４は、対応する診断用画像の取得に失敗した場合には（Ｓ１００１でＮＯ）、処理をＳ１００５へ進める。なお、写損画像に対応した診断用画像は、後に写損画像と比較され得る画像であればよく、実施形態に限定されるものではない。他の例としては、写損画像に対応した診断用画像は、写損画像と検査インスタンスＵＩＤ及び検査部位が同一の画像であってもよい。
【００４０】
Ｓ１００２において、画像圧縮制御部３０４は、写損画像と、対応する診断用画像と、の類似度を求める。なお、類似度の算出には、公知の画像解析技術を用いればよい。次に、Ｓ１００３において、画像圧縮制御部３０４は、類似度と、予め定められた閾値と、を比較する。画像圧縮制御部３０４は、類似度が閾値未満の場合には（Ｓ１００３でＹＥＳ）、処理をＳ１００４へ進める。画像圧縮制御部３０４は、類似度が閾値以上の場合には（Ｓ１００３でＮＯ）、処理をＳ１００５へ進める。なお、写損画像に対応した診断用画像が複数存在する場合には、画像圧縮制御部３０４は、各診断用画像との類似度を求め、最大の類似度と閾値とを比較してもよい。
【００４１】
Ｓ１００４において、画像圧縮制御部３０４は、図９に示す圧縮率決定テーブル９００を参照し、写損圧縮率を決定し、写損圧縮率を画像圧縮率として決定する。本処理は、図８を参照しつつ説明したＳ８０３の処理と同様である。一方、Ｓ１００５においては、画像圧縮制御部３０４は、診断用圧縮率を画像圧縮率として決定する。本処理は、Ｓ８０４の処理と同様である。なお、第２の実施形態に係る画像管理システム１のこれ以外の構成及び処理は、第１の実施形態に係る画像管理システム１の構成及び処理と同様である。
【００４２】
このように、第２の実施形態に係る画像管理装置１００は、さらに類似度に基づいて、写損圧縮率を決定することができる。より具体的には、画像管理装置１００は、類似度が閾値以上の写損画像に対しては、診断用圧縮率と等しい圧縮率で圧縮を行う。これにより、差異の少ない診断用画像と写損画像の比較を行う際に、差異がわかり難くなるのを防ぐことができる。
【００４３】
（第３の実施形態）
次に、第３の実施形態に係る画像管理システム１について、他の実施形態に係る画像管理システム１と異なる点を主に説明する。本実施形態に係る画像圧縮制御部３０４は、写損圧縮率を決定する際に、写損画像の写損理由を考慮する。
【００４４】
図１１は、第３の実施形態に係る画像圧縮制御部３０４による、写損画像に対する画像圧縮率の決定処理を示すフローチャートである。画像圧縮制御部３０４は、図６に示すＳ６０７の処理に替えて、図９に示す、写損画像に対する画像圧縮率の決定処理を実行する。Ｓ１１０１において、画像圧縮制御部３０４は、写損画像のＳＯＰインスタンスＵＩＤに基づいて、写損情報抽出部１２０３から写損情報を取得する。次に、Ｓ１１０２において、画像圧縮制御部３０４は、写損情報に含まれる写損理由を取得し、写損理由に基づいて、写損画像の圧縮率変更の可否を判定する。本処理は、理由取得処理の一例である。また、本処理は、変更判定処理の一例である。
【００４５】
ここで、図１２を参照しつつ、Ｓ１１０２の処理について説明する。図１２は、変更可否判定テーブル１２００の一例を示す図である。変更可否判定テーブル１２００は、写損理由と、圧縮率変更の可否と、を対応付けて記憶している。写損理由「体動」には、圧縮率変更「不可」が対応付けられている。写損理由「異物（大）」には、圧縮率変更「可」が対応付けられている。写損理由「異物（小）」には、圧縮率変更「不可」が対応付けられている。写損理由「体位違い」には、圧縮率変更「可」が対応付けられている。上記以外の写損理由には、圧縮率変更「可」が対応付けられている。なお、写損理由と圧縮率変更の有無の対応関係は実施形態に限定されるものではない。Ｓ１１０２において、画像圧縮制御部３０４は、変更可否判定テーブル１２００を参照し、処理対象の写損画像の写損理由に対応付けられている、「可」または「不可」の情報に基づいて、圧縮率変更の可否を判定する。
【００４６】
図１１に戻り、Ｓ１１０２において、画像圧縮制御部３０４は、圧縮率変更可の場合には（Ｓ１１０２でＹＥＳ）、処理をＳ１１０３へ進める。画像圧縮制御部３０４は、圧縮率変更不可の場合には（Ｓ１１０２でＮＯ）、処理をＳ１１０４へ進める。Ｓ１１０３において、画像圧縮制御部３０４は、図９に示す圧縮率決定テーブル９００を参照し、写損圧縮率を決定し、写損圧縮率を画像圧縮率として決定する。本処理は、図８を参照しつつ説明したＳ８０３の処理と同様である。一方、Ｓ１１０４においては、画像圧縮制御部３０４は、診断用圧縮率を画像圧縮率として決定する。本処理は、Ｓ８０４の処理と同様である。なお、第３の実施形態に係る画像管理システム１のこれ以外の構成及び処理は、他の実施形態に係る画像管理システム１の構成及び処理と同様である。以上のように、画像管理装置１００は、写損理由に基づいて、写損圧縮率を決定することができる。
【００４７】
（第４の実施形態）
次に、第４の実施形態に係る画像管理システムについて説明する。図１３は、第４の実施形態に係る画像管理装置１３００の機能構成図である。第４の実施形態の画像管理装置１３００は、第１の実施形態の画像管理装置１００と同様に、画像管理サーバ１３１０及び写損情報管理サーバ１３２０とＶＰＮ装置１２０を介して通信を行う。第４の実施形態においては、画像管理サーバ１３１０と写損情報管理サーバ１３２０の間でも、ＨＴＴＰＳプロトコルを用いた通信が行われる。
【００４８】
また、第４の実施形態の画像管理装置１３００の機能構成は、第１の実施形態の画像管理装置１００の機能構成と同様であるが、画像圧縮制御部３０４を有さない点で機能構成が異なる。画像管理装置１３００は、診断用画像及び写損画像を可逆圧縮する。そして、画像管理装置１３００は、診断用画像を画像管理サーバ１３１０及び写損情報管理サーバ１３２０へ送信する。画像管理装置１３００はまた、写損画像を写損情報管理サーバ１３２０へ送信する。画像管理サーバ１３１０は、画像管理サーバ１３０の機能構成に加えて、診断用画像を予め定められた診断用圧縮率で圧縮し、保存する。画像管理サーバ１３１０はまた、写損情報管理サーバ１３２０からのリクエストに応じて、写損情報管理サーバ１３２０へ送信する。写損情報管理サーバ１３２０は、写損情報管理サーバ１４０の機能構成に加えて、画像管理装置１３００から受信した診断用画像を圧縮して保存する。この場合の圧縮率の決定方法については後述する。
【００４９】
画像管理装置１３００の画像一時保存部１３０１は、図３に示す画像一時保存部３０２の機能に加えて、受信した診断用画像及び写損画像を可逆圧縮して保存し、画像外部送受信部１３０２に通知する。画像外部送受信部１３０２は、画像一時保存部１３０１が出力した診断用画像を画像管理装置１３００に、写損画像を写損情報管理サーバ１３２０に、それぞれ送信する。また、画像外部送受信部１３０２は、画像管理サーバ１３１０から受信した診断用画像及び写損情報管理サーバ１３２０から受信した写損画像を、画像一時保存部３０２に保存し、医用画像送信部３１０に通知する。
【００５０】
図１４は、画像管理サーバ１３１０の機能構成図である。診断用画像送受信部１４０１は、図４の診断用画像送受信部４０１の機能に加えて、診断用画像リクエスト受信部１４０３が受信した指示に基づいて、診断用画像を写損情報管理サーバ１３２０に出力する。診断用画像保存部１４０２は、図４の診断用画像保存部４０２の機能に加えて、診断用画像送受信部１４０１から受信した診断用画像を、予め設定された圧縮率で圧縮して保存する。なお、画像管理装置１３００にて可逆圧縮を施しているため、診断用画像保存部１４０２は、圧縮率は可逆ＪＰＥＧ圧縮より高い圧縮率または圧縮しないか、いずれかを設定する。診断用画像リクエスト受信部１４０３は、図４の診断用画像リクエスト受信部４０３の機能に加えて、写損情報管理サーバ１３２０から受信したリクエストに応じて、診断用画像保存部１４０２から診断用画像を読み出し、診断用画像送受信部１４０１に出力する。
【００５１】
図１５は、写損情報管理サーバ１３２０の機能構成図である。写損画像保存部１５０１は、図５の写損画像保存部５０２の機能に加え、写損画像圧縮制御部１５０２の指示に基づいて写損画像を出力し、写損画像圧縮制御部１５０２が圧縮した画像を上書き保存する。写損画像圧縮制御部１５０２は、写損画像保存部１５０１に写損画像が保存されるのを監視する。写損画像圧縮制御部１５０２は、写損画像が保存されたことを検知すると、診断用画像リクエスト送信部１５０３に診断用画像の取得を要求する。そして、写損画像圧縮制御部１５０２は、診断用画像受信部１５０４から受信した診断用画像及び写損画像保存部１５０１から読み出した写損画像から写損画像の圧縮率を決定して画像圧縮し、写損画像保存部１５０１の写損画像を上書き保存する。圧縮率の決定方法については後述する。診断用画像リクエスト送信部１５０３は、写損画像圧縮制御部１５０２のリクエストに応じて、画像管理サーバ１３１０に診断用画像をリクエストする。診断用画像受信部１５０４は、画像管理サーバ１３１０から受信した診断用画像を写損画像圧縮制御部１５０２に出力する。写損情報管理サーバ１３２０は、情報処理装置の一例である。
【００５２】
図１６は、写損情報管理サーバ１３２０による画像圧縮処理を示すフローチャートである。Ｓ１６０１において、写損画像圧縮制御部１５０２は、写損画像保存部１５０１に写損画像が保存されたことを検知すると（Ｓ１６０１でＹＥＳ）、処理をＳ１６０２へ進める。Ｓ１６０２において、写損画像圧縮制御部１５０２からの指示に従い、診断用画像リクエスト送信部１５０３は、写損画像と検査インスタンスＵＩＤが同一の診断用画像の受信要求を画像管理サーバ１３０へ送信する。次に、Ｓ１６０３において、写損画像圧縮制御部１５０２は、診断用画像受信部１５０４が診断用画像の取得に成功したか否かを判定する。写損画像圧縮制御部１５０２は、診断用画像の取得に成功した場合には（Ｓ１６０３でＹＥＳ）、処理をＳ１６０４へ進める。写損画像圧縮制御部１５０２は、診断用画像の取得に失敗した場合には（Ｓ１６０３でＮＯ）、処理をＳ１６０６へ進める。
【００５３】
Ｓ１６０４において、写損画像圧縮制御部１５０２は、写損画像と診断用画像の類似度を求める。次に、Ｓ１６０５において、写損画像圧縮制御部１５０２は、類似度と閾値とを比較する。写損画像圧縮制御部１５０２は、類似度が閾値未満の場合には（Ｓ１６０５でＹＥＳ）、処理をＳ１６０６へ進める。写損画像圧縮制御部１５０２は、類似度が閾値以上の場合には（Ｓ１６０５でＮＯ）、処理をＳ１６０７へ進める。Ｓ１６０６において、写損画像圧縮制御部１５０２は、図８に示す圧縮率決定テーブル９００を参照し、写損圧縮率を決定し、写損圧縮率を画像圧縮率として決定し、その後処理をＳ１６０８へ進める。一方、Ｓ１６０７においては、写損画像圧縮制御部１５０２は、診断用圧縮率を画像圧縮率として決定し、その後処理をＳ１６０８へ進める。
【００５４】
なお、Ｓ１６０４〜Ｓ１６０７の処理は、図１０を参照しつつ説明したＳ１００２〜Ｓ１００５の処理と同様である。さらに、Ｓ１６０８〜Ｓ１６１０の処理は、図８を参照しつつ説明したＳ８０５〜Ｓ８０７の処理と同様である。なお、第４の実施形態に係る画像管理システムのこれ以外の構成及び処理は、他の実施形態に係る画像管理システムの構成及び処理と同様である。
【００５５】
第４の実施形態の画像管理システムにおいては、診断用画像及び写損画像の圧縮を、それぞれ画像管理サーバ１３０及び写損情報管理サーバ１３２０が行う。このように、第１の実施形態において画像管理装置１００が行うものとした処理のうち少なくとも一部の処理は、画像管理システム内の他の装置が行うものとしてもよい。
【００５６】
また、第４の実施形態の変形例としては、第４の実施形態においても、第１の実施形態において図８を参照しつつ説明したように、写損情報管理サーバ１３２０は、類似度を考慮することなく、診断用圧縮率に基づいて、写損画像の画像圧縮率を決定してもよい。また、第４の実施形態においても、写損情報管理サーバ１３２０は、第３の実施形態において説明したように、写損理由に基づいて、写損画像の画像圧縮率を決定してもよい。
【００５７】
（第５の実施形態）
次に、第５の実施形態に係る画像管理システムについて説明する。第５の実施形態に係る画像管理システム１は、写損画像について、２段階の圧縮を行う。第５の実施形態に係るリクエスト受信部３０８は、第１の実施形態のリクエスト受信部３０８の機能に加えて、カンファレンスシステム１７０からカンファレンスが終了した検査インスタンスＵＩＤを受信し、画像圧縮制御部３０４に出力する。リクエスト外部送信部３０９は、第１の実施形態に係るリクエスト外部送信部３０９の機能に加えて、写損情報管理サーバに写損画像の再圧縮リクエストを送信する。
【００５８】
図１７は、第５の実施形態に係る写損情報管理サーバ１７００の機能構成図である。写損画像圧縮制御部１７０１は、写損画像圧縮リクエスト受信部１７０２から受信した写損画像の再圧縮リクエストに応じて、リクエストに含まれる圧縮率で写損画像を再圧縮する。写損画像圧縮リクエスト受信部１７０２は、画像管理装置１００から写損画像の再圧縮リクエストを受信し、写損画像圧縮制御部１７０１に出力する。
【００５９】
第５の実施形態に係る画像管理装置１００は、第１〜第３の実施形態において説明した画像圧縮処理に替えて、圧縮処理及び再圧縮処理を行う。以下、圧縮処理及び再圧縮処理について説明する。図１８は、画像管理装置１００による圧縮処理を示すフローチャートである。Ｓ１８０１において、画像圧縮制御部３０４は、画像一時保存部３０２に画像が保存されことを検知すると（Ｓ１８０１でＹＥＳ）、処理をＳ１８０２へ進める。Ｓ１８０２において、画像圧縮制御部３０４は、診断用圧縮率を画像圧縮率として決定する。続く、Ｓ１８０３〜Ｓ１８０５の処理は、図８を参照しつつ説明したＳ８０５〜Ｓ８０７の処理と同様である。このように、画像圧縮制御部３０４は、診断用画像及び写損画像、いずれについても、まず診断用圧縮率での圧縮を行い、圧縮後の画像を画像一時保存部３０２に保存し、さらに画像管理サーバ１３０又は写損情報管理サーバ１４０に出力するよう制御する。
【００６０】
図１９は、画像管理装置１００による再圧縮処理を示すフローチャートである。Ｓ１９０１において、画像圧縮制御部３０４は、カンファレンスが終了したか否かを判定する。具体的には、画像圧縮制御部３０４は、リクエスト受信部３０８がカンファレンスが終了した検査ＵＩＤを受信した場合にカンファレンスが終了したと判定する。画像圧縮制御部３０４は、カンファレンスが終了した場合には（Ｓ１９０１でＹＥＳ）、処理をＳ１９０２へ進める。Ｓ１９０２において、画像圧縮制御部３０４は、カンファレンスに係る画像が写損画像か否かを判定する。画像圧縮制御部３０４は、写損画像の場合には（Ｓ１９０２でＹＥＳ）、処理をＳ１９０３へ進める。画像圧縮制御部３０４は、診断用画像の場合には（Ｓ１９０２でＮＯ）、再圧縮処理を終了する。すなわち、診断用画像については、再圧縮処理は行わない。
【００６１】
一方、Ｓ１９０３において、画像圧縮制御部３０４は、診断用圧縮率に基づいて、図９に示す圧縮率決定テーブル９００を参照し、写損圧縮率を決定し、これを写損画像に対する画像圧縮率として決定する。本処理は、図８を参照しつつ説明したＳ８０３の処理と同様である。次に、Ｓ１９０４において、画像圧縮制御部３０４は、決定した画像圧縮率に基づいて、画像一時保存部１３０１に一時保存した写損画像を再圧縮する。次に、Ｓ１９０５において、画像圧縮制御部３０４は、リクエスト外部送信部３０９を介して写損情報管理サーバ１７００に再圧縮リクエストを送信する。ここで、再圧縮リクエストには、検査インスタンスＵＩＤと、写損圧縮率と、が含まれるものとする。写損情報管理サーバ１７００は、再圧縮リクエストを受信すると、写損画像保存部５０２に保存されている、再圧縮リクエストに対応する写損画像を再圧縮する。なお、再圧縮の圧縮率には、再圧縮リクエストに示され写損圧縮率が用いられる。なお、第５の実施形態に係る画像管理システム１のこれ以外の構成及び処理は、第１〜第３の実施形態に係る画像管理システム１の構成及び処理と同様である。
【００６２】
このように、第５の実施形態に係る画像管理システムにおいては、写損画像を、カンファレンス前に診断用圧縮率で圧縮し、カンファレンス終了後に写損圧縮率で再圧縮する。これにより、カンファレンス時点では、診断用画像と同じ画質で写損画像を確認することができる。
【００６３】
なお、第５の実施形態においても、画像管理装置１００は、他の実施形態において説明したように、類似度や写損理由に基づいて、写損圧縮率を決定してもよい。
【００６４】
また、第４の実施形態において説明したように、写損情報管理サーバ１３２０において圧縮処理を行う場合においても、同様に、２段階で圧縮を行うものとしてもよい。さらに、この場合には、写損情報管理サーバ１３２０は、自装置の写損画像保存部１５０１の容量に応じて、２回目の圧縮のタイミングを決定してもよい。
【００６５】
（第６の実施形態）
次に、第６の実施形態に係る画像管理システムについて説明する。第６の画像管理システムにおいては、モダリティ１６０において画像の圧縮が行われる場合がある。モダリティ１６０は、画像を圧縮した場合には、転送構文ＵＩＤにその旨が記載され、画像管理装置１００に転送される。
【００６６】
まず、モダリティ１６０における、圧縮処理について説明する。モダリティ１６０は、診断用画像が作成された場合には、図９に示す圧縮率決定テーブル９００と同様のテーブルに従い、診断用圧縮率から画像圧縮率を決定し、写損画像の画像圧縮を行う。一方、モダリティ１６０は、診断用画像が作成されなかった場合には、圧縮率決定テーブル９００と同様のテーブルに従い、最も高圧縮率の「非可逆ＪＰＥＧ圧縮（画質２０）」を画像圧縮率として決定し、画像圧縮を行う。
【００６７】
図２０は、第６の実施形態に係る画像管理装置１００による、画像圧縮処理を示すフローチャートである。Ｓ２００１において、画像圧縮制御部３０４は、画像一時保存部３０２に画像が保存されことを検知すると（Ｓ２００１でＹＥＳ）、処理をＳ２００２へ進める。Ｓ２００２において、画像圧縮制御部３０４は、保存された画像が既に圧縮されているか否かを判定する。本処理は、圧縮判定処理の一例である。画像圧縮制御部３０４は、圧縮済みの場合には（Ｓ２００２でＹＥＳ）、処理をＳ２００８へ進める。画像圧縮制御部３０４は、圧縮済みでない場合には（Ｓ２００２でＮＯ）、処理をＳ２００３へ進める。Ｓ２００３〜Ｓ２００８の処理は、図８を参照しつつ説明したＳ８０２〜Ｓ８０７の処理と同様である。なお、第６の実施形態に係る画像管理システムのこれ以外の構成及び処理は、他の実施形態に係る画像管理システムの構成及び処理と同様である。
【００６８】
このように、第６の実施形態の画像管理装置１００は、モダリティにおいて圧縮が行われた場合には、画像管理装置１００において再度圧縮処理を行わないよう制御する。これにより、再圧縮により画質が劣化するのを防ぐことができる。
【００６９】
なお、第６の実施形態においても、他の実施形態において説明したように、類似度や写損理由に基づいて、写損圧縮率を決定してもよい。
【００７０】
また、第４の実施形態において説明したように、写損情報管理サーバ１３２０において圧縮処理を行う場合においても、同様に、写損情報管理サーバ１３２０は、モダリティにおいて圧縮が行われた場合には、再圧縮を行わないよう制御する。
【００７１】
以上、本発明の好ましい実施形態について詳述したが、本発明は係る特定の実施形態に限定されるものではなく、特許請求の範囲に記載された本発明の要旨の範囲内において、種々の変形・変更が可能である。
【００７２】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７３】
１００  画像管理装置
１３０  画像管理サーバ
１４０  写損情報管理サーバ
【図１】
2019092702.tif 000003
【図２】
2019092702.tif 000004
【図３】
2019092702.tif 000005
【図４】
2019092702.tif 000006
【図５】
2019092702.tif 000007
【図６】
2019092702.tif 000008
【図７】
2019092702.tif 000009
【図８】
2019092702.tif 000010
【図９】
2019092702.tif 000011
【図１０】
2019092702.tif 000012
【図１１】
2019092702.tif 000013
【図１２】
2019092702.tif 000014
【図１３】
2019092702.tif 000015
【図１４】
2019092702.tif 000016
【図１５】
2019092702.tif 000017
【図１６】
2019092702.tif 000018
【図１７】
2019092702.tif 000019
【図１８】
2019092702.tif 000020
【図１９】
2019092702.tif 000021
【図２０】
2019092702.tif 000022